(57)【要約】【課題】  故人となった場合に遺族に残したいことや、残しておいて貰いたいことは、保管場所が多岐に渡っていることが多く、本人でなければなかなか見つけることができず、大事なものかそうでないものかの判断もできない。残された遺族では、色々な場所を探し回らねばならないことや、紛失してしまったり誤って廃棄処分してしまう場合もある。【解決手段】  遺族に対する故人記録の媒体を収めたホルダーの保存装置において、該ホルダーの表面に自己の顔写真を介在させることにより、枠体に該ホルダーを嵌め込んで該顔写真を掲示させるものであって、該ホルダーの表面に該顔写真を嵌め込む窓枠を設ける。【選択図】        図１
2013169210.tif 000002
【特許請求の範囲】
【請求項１】
遺族に対する故人記録の媒体を収めたホルダーの保存装置において、該ホルダーの表面に自己の顔写真を介在させることにより、枠体に該ホルダーを嵌め込んで該顔写真を掲示させるものであって、該ホルダーの表面に該顔写真を嵌め込む窓枠を設けたことを特徴とする額縁。
【発明の詳細な説明】
【技術分野】
【０００１】
本発明は、自己の経歴など、死後遺族に伝えておきたいことや知っておいてもらいたい事柄を記録した故人記録のホルダーを保存するための、保存装置の改良に関する。
【背景技術】
【０００２】
高齢者にとっては、自身が亡くなった後で、遺族となる人たちに極力負担を掛けないようにすることが、大きな望みであり、しかも生きた証として極力忘れずに知っておいてもらいたいという願望がある。
このような事柄は、古くから遺言状という形式で残されるが、遺族の貢献度に対する論功行賞的な色合いが濃く、故人を偲ぶという趣ではない。
【０００３】
故人の記録として残されるのは、写真が極めて一般的であり、各家庭では数多く残されている。写真を保管する手段の一つとして特許文献１のアルバム用額がある。このアルバム用額は、冠婚葬祭等の行事ごとに作成したアルバムを額縁に保管するものである。そして、タイトルとして写真等を額縁に表示させる。
【先行技術文献】
【特許文献】
【０００４】
【特許文献１】実用新案登録第３０９３９８０号
【発明の概要】
【発明が解決しようとする課題】
【０００５】
アルバムを見ながら故人を偲ぶことは、古くから行なわれていることであり、そのアルバムを特許文献１のように額縁に保管することで、分かりやすく分類することも一つの方法である。しかし、写真は家族や友人等と一緒に写っている場合がほとんどであり、個人的な分類手段としては相応しくなく、本発明の目的とは大きく異なる。
【０００６】
故人となった場合に遺族に残したいことや、残しておいて貰いたいことは、保管場所が多岐に渡っていることが多く、本人でなければなかなか見つけることができず、大事なものかそうでないものかの判断もできない。残された遺族では、色々な場所を探し回らねばならないことや、紛失してしまったり誤って廃棄処分してしまう場合もある。
【０００７】
このため、自己が是非残したいと思われるものは、生前に自身で整理しておく必要がある。ここで重要なのは、一箇所にコンパクトで分かりやすくまとめておくことである。複数の場所に保管したりすると、散逸しやすく押し入れ等に埋もれてしまうことになって、遺族にとっても何が重要なものか分かりにくくなる。
【課題を解決するための手段】
【０００８】
そこで本発明者は上記課題に鑑み鋭意研究した結果、本発明を成し得たものであり、その特徴とするところは、遺族に対する故人記録の媒体を収めたホルダーの保存装置において、該ホルダーの表面に自己の顔写真を介在させることにより、枠体に該ホルダーを挿入して嵌め込んで該顔写真を掲示させるものであって、該ホルダーの表面に該顔写真を挿入して嵌め込む窓枠を設けたことにある。
【０００９】
本明細書中でいう「ホルダー」とは、故人記録の媒体を収納するためのものであり、媒体の収納部を複数設けた二つ折りや三つ折りの台紙、或いはファイル状のものをいう。このホルダーの表面に自己の顔写真を介在させて額縁に保存する。このため、本発明においては、ホルダーの表面に顔写真を嵌め込むための窓枠を設ける。これにより、ホルダーに収納した故人記録が、顔写真の人のものであることが、明確になると共に、そのまま額縁に入れて飾っておくことが可能となる。
【００１０】
媒体としては、紙の書類、ＣＤやＤＶＤなどのメディアなどであり、故人記録としては、自己の経歴の他、自叙伝、系図、自己が所有する財産の詳細、葬儀の要否、戒名の要否、葬儀する場合は、その形式や来て貰いたい人の氏名、住所、連絡先などである。いわゆるエンデングノートと言われるものやその他、自己の写真やビデオなどを記録することもできる。
【００１１】
「枠体」とは、額縁本体を構成するもので、内部にホルダー及びホルダーの表面に設けた自己の顔写真を保持することにより、該顔写真を掲示するために供する部材をいう。ホルダーに窓枠を設けて顔写真を挿入して嵌め込む構造としているため、顔写真の周囲に装飾を施した状態で掲示することができる。窓枠は、顔写真の要部を露出させるため中央部をくり抜いた構造のプラスチックや厚紙などで形成した部材である。枠体の開口部には、ガラスやプラスチックなどの透明板を嵌め込み、顔写真を設けたホルダーを収納して保持する。ホルダーの裏面側には、別途裏書類いれを設けて保持してもよい。
【発明の効果】
【００１２】
本発明に係る額縁は、遺族に残したい事項を記録した媒体を保存するに当たって、自己の顔写真を表面に設けたホルダーを額縁に収納しておくことで、散逸することなく保存することができる。
【００１３】
特に、顔写真を設けたホルダーに故人記録を保存し、これを額縁に収納させておくことで、法要など長期間経過した際にも、故人の情報を失うことなく開示・閲覧することができ、子孫にとっても保存管理がやり易くなるなど、実用上極めて有益な効果を有するものである。
【図面の簡単な説明】
【００１４】
【図１】本発明に係る額縁の一実施例を示す分解斜視図である。（実施例１）
【図２】ホルダーに顔写真を設けるための窓枠の取り付け状態の一例を示す斜視図である。
【図３】本発明に係る額縁に保存するホルダーの一例を示す平面図である。
【図４】本発明に係る額縁に保存するホルダーの他の例を示す平面図である。
【図５】本発明に係る額縁の使用状態の一例を示す斜視図である。
【図６】ボルダーの他の例で、ホルダーに顔写真を設けるための窓枠の取り付け状態の他の例を示す斜視図である（実施例２）
【発明を実施するための形態】
【００１５】
本発明に係る額縁は、故人の顔写真を掲示しながら故人記録を収めたホルダーを収納することで、上記課題を解決した。
【実施例１】
【００１６】
図１は、本発明に係る額縁１の一例を示すもので、枠体２と該枠体２に嵌め込む透明板８，表面に設けた窓枠３に顔写真４を設けたホルダー５及び裏書類入れ６より構成している。額縁１で、ホルダー５の表面の窓枠３に設けた顔写真４を掲示させることにより、ホルダー５に収納した故人記録を保存しておく。本例のホルダー５は、図２に示すように顔写真４を嵌め込むスペースを確保して窓枠３を表面に設けることにより、顔写真４を挿入して設けるようにしている。符号９は、写真４の出し入れを容易にするための厚み材である。そして、窓枠３と厚み材９はホルダー本体５ａと一体化して本体５を構成する。裏書類入れ６の代わりに裏板を用いてもよい。
【００１７】
故人記録を収納するホルダー５は、図３に示すように自己の情報を記録した媒体としてのＤＶＤ５１や系図５２を収納部５３に収納している。本例のホルダー５は、二つ折りの台紙であり、内面側に収納部５３を設けている。ホルダー５としては、図４のように三つ折り構造とすることで、さらに収納部５３を多くすることができる。
【００１８】
本発明に係る額縁１は、壁面に吊り下げたり、図５のように脚７を設けて仏壇やその周辺に置くようにしてもよい。従って、額縁１は顔写真４を掲示することを目的とするものであることから、極めて目立つ箇所に置かれ、置き場所が分からなくなることはない。この額縁１に故人記録を保存しておくことにより、確実に故人の記録が失われることなく受け継いでいくことが可能となる。
【実施例２】
【００１９】
図６に示すホルダー５′は、図２に示すホルダー５の他の例を示すもので、ホルダー本体５′ａの表面の上部に窓枠３′の上部３′ａを固着し、下部３′ｂを持ち上げて写真４を挿入したのち下部を粘着層１０で固着して写真４を固定するものである。符号１１は剥離紙である。尚、この粘着層１０の粘着力を弱くしておくと窓枠下部３′ｂを持ち上げて写真を何度でも張り替えすることができる。粘着層の代わりに、面ファスナーを用いてもよい。
【符号の説明】
【００２０】
１      額縁
２      枠体
３      窓枠
３′    窓枠
３′ａ  上部
３′ｂ  下部
４      顔写真
５      ホルダー
５′    ホルダー
５′ａ  ホルダー本体
５１    ＶＤ
５２    系図
５３    収納部
６      裏書類入れ（裏板）
７      脚
８      透明板
９      厚み材
１０    粘着層
１１    剥離紙
【図１】
2013169210.tif 000003
【図２】
2013169210.tif 000004
【図３】
2013169210.tif 000005
【図４】
2013169210.tif 000006
【図５】
2013169210.tif 000007
【図６】
2013169210.tif 000008